(57)【特許請求の範囲】
【請求項１】
地際部に防食加工が施された被覆層付き鋼製柱であって、
鋼製柱の地際部の主面に防食層、接着層および耐食性金属層をこの順に有し、さらに前記耐食性金属層の上下両端面の各々を覆う２つの端部シールを有し、前記端部シールは粘着面が自己融着型のブチルゴム系粘着剤により形成されたポリエチレン基材の粘着シール材からなり、前記端部シールの一方は地表部に、もう一方は埋設部にあり、
前記防食層の主面の表面粗度（Ｒａ）は１０μｍ以下であり、
前記接着層および前記耐食性金属層の厚さの合計が１．５ｍｍ以下であり、
前記端部シールは前記鋼製柱とは付着せずに、前記防食層の主面および前記耐食性金属層の主面に付着していて、その付着部分は、前記鋼製柱の長手方向において、各々３０ｍｍ以上であり、地表部にある前記端部シールは地表に接していない、被覆層付き鋼製柱。
【請求項２】
前記防食層は前記地際部に付着していて、その付着部分は前記鋼製柱の長手方向において５００ｍｍ以上であり、
前記耐食性金属層は前記接着層を介して前記防食層と付着していて、その付着部分のうち地表部は、前記鋼製柱の長手方向において５０ｍｍ以上であり、その付着部分における前記地表部以外の部分である埋設部は、前記鋼製柱の長手方向において１００ｍｍ以上である、請求項１に記載の被覆層付き鋼製柱。
【請求項３】
地際部に被覆層を形成して防食する既設鋼製柱の防食施工方法であって、
前記地際部の表面に、主面の表面粗度（Ｒａ）が１０μｍ以下である防食層を形成し、さらにその表面に接着層を介して前記接着層との厚さの合計が１．５ｍｍ以下である耐食性金属層を形成する被覆工程と、
前記耐食性金属層の上下両端面の各々を覆う２つの端部シールを、前記端部シールの一方は地表部に、もう一方は埋設部において、前記既設鋼製柱とは付着せずに、前記防食層の主面および前記耐食性金属層の主面に付着し、その付着部分が、前記既設鋼製柱の長手方向において各々３０ｍｍ以上となるように付着し、前記地表部の端部シールは地表に接しないようにする端部シール工程と、を備える既設鋼製柱の防食施工方法。
【請求項４】
前記防食層は前記地際部に付着していて、その付着部分は前記既設鋼製柱の長手方向において５００ｍｍ以上であり、
前記耐食性金属層は前記接着層を介して前記防食層と付着していて、その付着部分のうち地表部は、前記既設鋼製柱の長手方向において５０ｍｍ以上であり、その付着部分における前記地表部以外の部分である埋設部は、前記既設鋼製柱の長手方向において１００ｍｍ以上である、請求項３に記載の既設鋼製柱の防食施工方法。
【発明の詳細な説明】
【技術分野】
【０００１】
本発明は被覆層付き鋼製柱および既設鋼製柱の防食施工方法に関する。
【背景技術】
【０００２】
照明柱、標識柱、および電柱等のような、屋外で土中やコンクリート中等に埋設された鋼製柱では、その埋設されている地表の地際部において腐食が生じる場合がある。このような鋼製柱の地際部における防食技術として、従来から、例えば特許文献１に記載のものが提案されている。
【０００３】
例えば、特許文献１には、防食被覆を有する鋼製柱であって、該鋼製柱と埋設用充填材が接する界面上端部の大気側及び充填材側の少なくとも５０ｍｍの鋼製柱外側部分に、アンモニウムイオンを含む水溶液に対する耐久性に優れた耐食材からなる被覆層を有することを特徴とする埋設地際部の腐食防御性を有する鋼製柱が記載されている。
【先行技術文献】
【特許文献】
【０００４】
【特許文献１】特開２００６−１３２１２８号公報
【発明の概要】
【発明が解決しようとする課題】
【０００５】
しかしながら、特許文献１に記載の鋼製柱では、その地際部における防食能が十分でない。そこで、本発明は、地際部において防食性に優れる被覆層付き鋼製柱を提供することを目的とする。また、既設鋼製柱における地際部を高度に防食施工することができる防食施工方法を提供することを目的とする。
【課題を解決するための手段】
【０００６】
本発明者は鋭意検討し、上記課題を解決する方法を見出して本発明を完成させた。
本発明は次の（１）〜（４）である。
（１）地際部に防食加工が施された被覆層付き鋼製柱であって、鋼製柱の地際部の主面に防食層、接着層および耐食性金属層をこの順に有し、さらに前記耐食性金属層の上下両端面の各々を覆う２つの端部シールを有し、前記防食層の主面の表面粗度（Ｒａ）は１０μｍ以下であり、前記端部シールは前記鋼製柱とは付着せずに、前記防食層の主面および前記耐食性金属層の主面に付着していて、その付着部分は、前記鋼製柱の長手方向において、各々３０ｍｍ以上である、被覆層付き鋼製柱。
（２）前記防食層は前記地際部に付着していて、その付着部分は前記鋼製柱の長手方向において５００ｍｍ以上であり、前記耐食性金属層は前記接着層を介して前記防食層と付着していて、その付着部分のうち地表部は、前記鋼製柱の長手方向において５０ｍｍ以上であり、その付着部分における前記地表部以外の部分である埋設部は、前記鋼製柱の長手方向において１００ｍｍ以上である、上記（１）に記載の被覆層付き鋼製柱。
（３）地際部に被覆層を形成して防食する既設鋼製柱の防食施工方法であって、前記地際部の表面に、主面の表面粗度（Ｒａ）が１０μｍ以下である防食層を形成し、さらにその表面に接着層を介して耐食性金属層を形成する被覆工程と、前記耐食性金属層の上下両端面の各々を覆う２つの端部シールを、前記既設鋼製柱とは付着せずに、前記防食層の主面および前記耐食性金属層の主面に付着し、その付着部分が、前記既設鋼製柱の長手方向において各々３０ｍｍ以上となるように付着する端部シール工程と、を備える既設鋼製柱の防食施工方法。
（４）前記防食層は前記地際部に付着していて、その付着部分は前記既設鋼製柱の長手方向において５００ｍｍ以上であり、前記耐食性金属層は前記接着層を介して前記防食層と付着していて、その付着部分のうち地表部は、前記既設鋼製柱の長手方向において５０ｍｍ以上であり、その付着部分における前記地表部以外の部分である埋設部は、前記既設鋼製柱の長手方向において１００ｍｍ以上である、上記（３）に記載の既設鋼製柱の防食施工方法。
【発明の効果】
【０００７】
本発明によれば、本発明は、地際部において防食性に優れる被覆層付き鋼製柱を提供することができる。また、既設鋼製柱における地際部を高度に防食施工することができる防食施工方法を提供することができる。
【図面の簡単な説明】
【０００８】
【図１】図１は、本発明の被覆層付き鋼製柱の好適態様を説明するための概略断面図である。
【発明を実施するための形態】
【０００９】
本発明について説明する。
本発明は、地際部に防食加工が施された被覆層付き鋼製柱であって、鋼製柱の地際部の主面に防食層、接着層および耐食性金属層をこの順に有し、さらに前記耐食性金属層の上下両端面の各々を覆う２つの端部シールを有し、前記防食層の主面の表面粗度（Ｒａ）は１０μｍ以下であり、前記端部シールは前記鋼製柱とは付着せずに、前記防食層の主面および前記耐食性金属層の主面に付着していて、その付着部分は、前記鋼製柱の長手方向において、各々３０ｍｍ以上である、被覆層付き鋼製柱である。
このような鋼製柱を、以下では「本発明の被覆層付き鋼製柱」ともいう。
【００１０】
また、本発明は、地際部に被覆層を形成して防食する既設鋼製柱の防食施工方法であって、前記地際部の表面に、主面の表面粗度（Ｒａ）が１０μｍ以下である防食層を形成し、さらにその表面に接着層を介して耐食性金属層を形成する被覆工程と、前記耐食性金属層の上下両端面の各々を覆う２つの端部シールを、前記既設鋼製柱とは付着せずに、前記防食層の主面および前記耐食性金属層の主面に付着し、その付着部分が、前記既設鋼製柱の長手方向において各々３０ｍｍ以上となるように付着する端部シール工程と、を備える既設鋼製柱の防食施工方法である。
このような防食施工方法を、以下では「本発明の方法」ともいう。
【００１１】
以下において、単に「本発明」と記した場合、本発明の被覆層付き鋼製柱および本発明の方法の両方を意味するものとする。
【００１２】
本発明について、図１を用いて説明する。図１は、本発明の被覆層付き鋼製柱の好適態様を説明するための概略断面図である。なお、通常、被覆層は、鋼製柱の地際部における全外周を被覆するように形成するが、図１では、その一部分のみを記している。
図１において被覆層付き鋼製柱１は、その地際部に被覆層１０を有する。この被覆層１０は、鋼製柱２０の地際部における主面に形成されていて、防食層３、接着層５、耐食性金属層７および端部シール１２ａ、１２ｂを含む。また、防食層３、接着層５および耐食性金属層７はこの順で配置されている。また、端部シール１２ａ、１２ｂは、耐食性金属層７の上下両端面７１、７２の各々を覆う。さらに、図１の被覆層１０は、地表部と埋設部とに分けられる。ここで、地表部とは、土またはコンクリート等の地表１４を境とした地上側の部分を指し、埋設部とは、地表１４を境とした地下側の部分、すなわち土中またはコンクリート中等に埋設された部分を指す。
【００１３】
防食層３について説明する。
防食層３は、鋼製柱２０の地際部における主面（表面）に塗料を塗布し、塗膜を付着させることで形成することができる。防食層３の塗膜形成に用いられる塗料として、例えば、タールエポキシ樹脂塗料、ポリエステル樹脂塗料、ポリエチレン樹脂塗料、塩化ビニル系樹脂塗料等が挙げられる。本発明では、タールエポキシ樹脂塗料を用いることが好ましい。防食層３と端部シール（１２ａ、１２ｂ）との接着性がより向上し、より高い防食性が得られるからである。
【００１４】
鋼製柱２０の地際部に防食層３は付着しているが、その付着部分は、鋼製柱２０の長手方向において、５００ｍｍ以上であることが好ましい。すなわち、図１においてＬａで示す長さが５００ｍｍ以上であることが好ましい。また、防食層３の付着部分のうち地表部は、鋼製柱２０の長手方向において（すなわち図１においてＬａ1で示す長さが）、５０〜４５０ｍｍであることが好ましく、８０〜４００ｍｍであることがより好ましく、８０〜３５０ｍｍであることがより好ましく、８０〜３００ｍｍであることがさらに好ましい。さらに、防食層３の付着部分のうち埋設部は、鋼製柱２０の長手方向において（すなわち図１においてＬａ2で示す長さが）、１５０〜４７０ｍｍであることが好ましく、１５０〜４５０ｍｍであることがより好ましく、１５０〜４２０ｍｍであることがより好ましく、１５０〜３００ｍｍであることがさらに好ましい。防食層３の各部分の長さがこのような範囲となるように、上記で挙げた塗料を、鋼製柱２０の地際部における主面（表面）に塗布することが好ましい。
【００１５】
防食層３の主面の表面粗度（Ｒａ）は１０μｍ以下である。防食層３の主面がこのような表面粗度（Ｒａ）であると、防食層３と端部シール（１２ａ、１２ｂ）との接着性が向上するため、高い防食性を得ることができる。また、防食層３の主面の表面粗度（Ｒａ）は７μｍ以下であることが好ましく、５μｍ以下であることがより好ましく、２μｍ以下であることがさらに好ましい。
なお、上記の表面粗度（Ｒａ）は、ＪＩＳ  Ｂ  ０６０１：２０１３（触針式表面粗さ測定機を使用）に規定される中心線平均粗さの値を意味する。
【００１６】
接着層５について説明する。
接着層５は、防食層３と耐食性金属層７とを強固に接着させるものである。このような接着層５の形成に、例えば、ブチルゴム系粘着剤、エポキシ樹脂系接着剤、ウレタン樹脂系接着剤、アクリル樹脂系粘着剤等を用いることができる。また、このような粘着剤により形成された粘着面を有するブチルゴム基材または発泡ポリエチレン基材の両面粘着シール材等を用いることもできる。
本発明の方法では、アクリル樹脂系粘着剤により形成された粘着面を有するブチルゴム基材の両面粘着シール材を用いることが好ましい。より優れた作業性を得ることができるからである。
【００１７】
接着層５は、防食層３の主面に、上記の接着剤または両面粘着シール材を付着させて形成される態様であってもよいし、耐食性金属層７の一方主面に、上記の接着剤または両面粘着シール材を予め付着させて形成される態様であってもよい。
【００１８】
耐食性金属層７について説明する。
耐食性金属層７は、接着層５を介して、防食層３の主面にシート状の耐食性金属を付着させることで形成することができる。この耐食性金属は、耐食性を有する金属であれば特に限定されず、例えば、チタン、チタン合金、ニッケル合金、高耐食ステンレス鋼、金、銀、白金等が挙げられる。本発明では、チタン、チタン合金、または高耐食ステンレス鋼を用いることが好ましく、チタンまたはチタン合金を用いることがより好ましい。本発明の被覆層付き鋼製柱の製造および本発明の方法における作業性がより向上するからである。
【００１９】
耐食性金属層７は接着層５を介して防食層３の主面に付着しているが、鋼製柱２０の長手方向におけるその付着部分の全長（すなわち図１においてＬｂで示す長さ）は、１５０ｍｍ以上であることが好ましく、２５０ｍｍ以上であることがより好ましく、３５０ｍｍ以上であることがさらに好ましい。また、耐食性金属層７の付着部分のうち地表部は、鋼製柱２０の長手方向において（すなわち図１においてＬｂ1で示す長さが）、５０ｍｍ以上であることが好ましく、１００ｍｍ以上であることがより好ましい。また、耐食性金属層７の付着部分における埋設部は、鋼製柱２０の長手方向において（すなわち図１においてＬｂ2で示す長さが）、１００ｍｍ以上であることが好ましく、２００ｍｍ以上であることがより好ましく、２５０ｍｍ以上であることがさらに好ましい。斜め勾配になっている地面に鋼製柱を埋設した場合や、鋼製柱を埋設したコンクリートにひび割れが生じた場合、鋼製柱の埋設部における表面の露出をより効果的に防止することで、より高い防食性が得られるからである。
【００２０】
耐食性金属層７の厚さは０．３ｍｍ以下であることが好ましく、０．２ｍｍ以下であることがより好ましく、０．１ｍｍ以下であることがさらに好ましい。
【００２１】
また、耐食性金属層７および接着層５の厚さの合計は、１．５ｍｍ以下であることが好ましく、１．２ｍｍ以下であることがより好ましく、１．０ｍｍ以下であることがさらに好ましい。耐食性金属層７および接着層５の厚さにより生じた段差の上に、雨水等の水がより溜まりにくいようにするためである。
【００２２】
端部シール（１２ａ、１２ｂ）について説明する。
端部シール１２ａ、１２ｂは、耐食性金属層７の上下両端面７１、７２の各々を覆い、防食層３の主面および耐食性金属層７の主面に付着する。これにより、防食層３と接着層５との間、または接着層５と耐食性金属層７との間へ雨水等の水が浸入することを防ぐことができる。端部シール１２ａ、１２ｂは、防食層３の主面および耐食性金属層７の主面に対する付着能を有するものであれば、特に限定されない。本発明では、粘着面が自己融着型のブチルゴム系粘着剤により形成されたポリエチレン基材の粘着シール材を用いることが好ましい。より高い防食性および耐候性が得られるからである。
【００２３】
端部シール１２ａ、１２ｂは、耐食性金属層７の上下両端面７１、７２の各々を覆い、さらに防食層３の主面および耐食性金属層７の主面に延びている。防食層３の主面における端部シール１２ａ、１２ｂの各々の付着部分は、鋼製柱２０の長手方向において（すなわち図１においてＬｃ1、Ｌｃ4で示す各々の長さが）、３０ｍｍ以上であり、５０ｍｍ以上であることが好ましい。また、７０ｍｍ以下であることが好ましい。また、耐食性金属層７の主面における端部シール１２ａ、１２ｂの各々の付着部分は、鋼製柱２０の長手方向において（すなわち図１においてＬｃ2、Ｌｃ3で示す各々の長さが）、３０ｍｍ以上であり、５０ｍｍ以上であることが好ましい。また、７０ｍｍ以下であることが好ましい。端部シール１２ａ、１２ｂの付着部分は、防食層３の主面を越えて、鋼製柱２０の主面に至らない。
【００２４】
鋼製柱２０について説明する。
鋼製柱２０は、鋼製のものであれば特に限定されない。鋼製柱２０として、例えば、普通鋼、ステンレス鋼、合金鋼等が挙げられる。また、鋼製柱２０は、表面処理したものであってもよい。例えば、鋼製柱２０の表面に亜鉛メッキの皮膜を形成したもの等が挙げられる。
【００２５】
鋼製柱２０の形状は特に限定されない。例えば、角形鋼管、山形鋼、Ｈ形鋼、溝形鋼、鋼管の径を順に変化させたテーパーポール鋼管等が挙げられる。
【００２６】
鋼製柱２０は、土、コンクリート、アスファルト等に埋設して用いるものであれば、その用途は特に限定されない。例えば、電柱、照明柱、標識柱、カーブミラー支柱、階段手摺り支柱、無線アンテナ柱、鉄塔、基礎工事における支柱等が挙げられる。
本発明の被覆層付き鋼製柱は、このような鋼製柱を新設する際に用いることができる。
【００２７】
次に、本発明の方法について説明する。
本発明の方法における既設鋼製柱は、図１を用いて説明した鋼製柱２０であって、既に土中やコンクリート中等に埋設されたものを指す。本発明の方法では、既設鋼製柱周辺の土またはコンクリートを掘削し、既設鋼製柱の地際部を露出させて、防食施工を行う。
【００２８】
本発明の方法が備える被覆工程は、既設鋼製柱の地際部の表面に、主面の表面粗度（Ｒａ）が１０μｍ以下である防食層を形成し、さらにその表面に接着層を介して耐食性金属層を形成する工程である。この被覆工程は、図１を用いて説明した防食層３、接着層５および耐食性金属層７を、前記既設鋼製柱の地際部に形成することで行うことができる。
また、本発明の方法が備える被覆工程において、防食層３は地際部に付着していて、その付着部分は、前記既設鋼製柱の長手方向において（すなわち図１においてＬａで示す長さが）、５００ｍｍ以上であることが好ましい。また、耐食性金属層７は接着層５を介して防食層３と付着していて、その付着部分のうち地表部は前記既設鋼製柱の長手方向において（すなわち図１においてＬｂ1で示す長さが）５０ｍｍ以上であることが好ましい。さらに、耐食性金属層７の付着部分における地表部以外の部分である埋設部は前記既設鋼製柱の長手方向において（すなわち図１においてＬｂ2で示す長さが）１００ｍｍ以上であることが好ましい。
【００２９】
本発明の方法が備える端部シール工程は、被覆工程を行った後の前記既設鋼製柱において、耐食性金属層の上下両端面の各々を覆う２つの端部シールを、前記既設鋼製柱とは付着せずに、防食層の主面および耐食性金属層の主面に付着し、その付着部分が、前記既設鋼製柱の長手方向において各々３０ｍｍ以上となるように付着する工程である。この端部シール工程は、図１を用いて説明した端部シール１２ａ、１２ｂを、防食層３の主面および耐食性金属層７の主面に付着することで行うことができる。
【符号の説明】
【００３０】
１              被覆層付き鋼製柱
３              防食層
５              接着層
７              耐食性金属層
１０            被覆層
１２ａ、１２ｂ  端部シール
１４            地表
２０            鋼製柱
７１、７２      耐食性金属層７の端面
Ｌａ            防食層３の付着部分の長さ
Ｌａ1            防食層３の付着部分における地表部の長さ
Ｌａ2            防食層３の付着部分における埋設部の長さ
Ｌｂ            耐食性金属層７の付着部分の長さ
Ｌｂ1            耐食性金属層７の付着部分における地表部の長さ
Ｌｂ2            耐食性金属層７の付着部分における埋設部の長さ
Ｌｃ1            防食層３の主面における端部シール１２ａの付着部分の長さ
Ｌｃ2            耐食性金属層７の主面における端部シール１２ａの付着部分の長さ
Ｌｃ3            耐食性金属層７の主面における端部シール１２ｂの付着部分の長さ
Ｌｃ4            防食層３の主面における端部シール１２ｂの付着部分の長さ
【図１】
0006470511.tif 000002